(57)【要約】【課題】枚葉紙輪転印刷機内で回転振動に起因した見当ずれを補償する。【解決手段】本発明の方法は、以下のステップを行う。印刷条件下にて印刷回転数範囲を通過する間の共振回転数範囲内で駆動歯車列ＡＲＺ内の回転振動と、付属する印刷装置または塗工装置での見当ずれとを一度検出する。共振回転数範囲について検出された回転振動のうち許容公差範囲の外側に見当ずれが現れる離散高調波成分を算出する。検出された回転振動の高調波成分から、反対向きの高調波補償モーメントのパラメータを算出する。補償モーメントのパラメータと共振回転数範囲に対するそれらの関係とを記憶する。印刷操業時に、共振回転数範囲内で主駆動モータＭの駆動モーメントを、記憶された補償モーメントと、回転数に依存して重ね合わせる。【選択図】図５
2006175876.tif 000002
【特許請求の範囲】
【請求項１】
給紙台（ＡＮ）と印刷装置および／または塗工装置（ＤＷ）とを結ぶ駆動歯車列（ＡＲＺ）と、この駆動歯車列に作用する主駆動モータ（Ｍ）と、この主駆動モータに付設された駆動制御装置（Ａ）とを有する枚葉紙輪転印刷機内で回転振動に起因した見当ずれを補償するための方法であって、
‐印刷条件下にて印刷回転数範囲（ｎＵ〜ｎＯ）を通過する間の共振回転数範囲（ｎＲ）内で駆動歯車列（ＡＲＺ）内の回転振動（Ｓ）と、付属する印刷装置または塗工装置での見当ずれとを一度検出するステップ、
‐共振回転数範囲（ｎＲ）について検出された回転振動（Ｓ）のうち許容公差範囲の外側に見当ずれが現れる離散高調波成分を算出するステップ、
‐検出された回転振動（Ｓ）の高調波成分から、反対向きの高調波補償モーメント（ＭＫ）のパラメータを算出するステップ、
‐補償モーメント（ＭＫ）のパラメータと共振回転数範囲（ｎＲ）に対するそれらの関係とを記憶するステップ、および
‐印刷操業時に、共振回転数範囲（ｎＲ）内で主駆動モータ（Ｍ）の駆動モーメント（ＭＡ）を、記憶された補償モーメント（ＭＫ）と、回転数に依存して重ね合わせるステップを含む方法。
【請求項２】
輪転印刷機の複数の異なる操業状態について駆動歯車列（ＡＲＺ）内の補償モーメント（ＭＫ）のパラメータが算出され、記憶され、操業状態に依存して駆動モーメント（ＭＡ）に重ね合わされる、請求項１記載の方法。
【請求項３】
算出された補償モーメント（ＭＫ）が回転数に依存して主駆動モータ（Ｍ）の駆動モーメント（ＭＡ）に重ね合わされ、その際に補償モーメント（ＭＫ）のパラメータが最適化される、請求項１または２記載の方法。
【請求項４】
補償モーメント（ＭＫ）が主駆動モータ（Ｍ）のモータ電流（ＩＭ）の変調によって生成される、請求項１、２または３記載の方法。
【請求項５】
補償モーメント（ＭＫ）が他の駆動モータによって駆動歯車列（ＡＲＺ）に導入される、請求項１、２または３記載の方法。
【請求項６】
輪転印刷機が、それぞれ独自の駆動歯車列（ＡＲＺｊ）および独自の駆動モータ（Ｍｊ）を有する複数の印刷装置群または塗工装置群（ｊ）で形成され、補償モーメント（ＭＫ、ｊ）が各印刷装置群または塗工装置群（ｊ）について個別に算出され最適化される、請求項１または３記載の方法。
【請求項７】
主駆動モータ（Ｍ）が、１つの輪転印刷機または１つの印刷装置群ないし塗工装置群（ｊ）の、第１または最終の印刷装置ないし塗工装置（ＤＷ）に付設されている、請求項１または６記載の方法。
【請求項８】
回転振動（Ｓ）の検出が圧胴（ＤＺ）の回転角センサ（Ｇ）で行われる、請求項１、２または６記載の方法。
【請求項９】
回転角センサ（Ｇ）が、１つの印刷機または１つの印刷装置群ないし塗工装置群（ｊ）の、第１および最終の印刷装置ないし塗工装置（ＤＷ）に配置されている、請求項８記載の方法。
【請求項１０】
印刷操業中、自動的サイクルで共振振動（ＳＲ）の実際の振動パラメータがプログラマブル・フィルタアルゴリズムによって算出され、それに基づいて、記憶された補償モーメント（ＭＫ）のパラメータ補正が行われ、駆動モーメント（ＭＡ）が実際の補正された補償モーメント（ＭＫ）と重ね合わされる、請求項１または６記載の方法。
【請求項１１】
給紙台（ＡＮ）によって引き起こされる回転振動を減らすために、
‐給紙台（ＡＮ）から駆動歯車列（ＡＲＺ）に伝達される回転モーメント振動（ＭＡＮ）を回転数（ｎ）に依存して一度算出するステップ、
‐反対向きの補償回転モーメント（ＭＡＫ）を駆動制御装置（Ａ）内に記憶するステップ、および、
‐第２の印刷装置または塗工装置に対する合成駆動回転モーメント（ＭＤＷ２）が給紙台の回転モーメント振動（ＭＡＮ）を含まないように、主駆動モータ（Ｍ）の駆動モーメント（ＭＡ）を補償回転モーメント（ＭＡＫ）と、回転数に依存して重ね合わせるステップが実行される、請求項１記載の方法。
【請求項１２】
回転モーメント振動（ＭＡＮ）が給紙台（ＡＮ）の回転モーメントモデルから計算される、請求項１１記載の方法。
【請求項１３】
給紙台（ＡＮ）の回転モーメント振動（ＭＡＮ）が回転モーメントまたはモータ電流‐回転角測定から算出される、請求項１１記載の方法。
【請求項１４】
補償モーメント（ＭＡＫ）が主駆動モータ（Ｍ）の駆動モータ電流（ＩＭ）の変調によって生成される、請求項１１記載の方法。
【請求項１５】
補償モーメント（ＭＡＫ）が、主駆動モータ（Ｍ）と協動する流体力学式の第２の駆動装置によって形成される、請求項１１記載の方法。
【発明の詳細な説明】
【技術分野】
【０００１】
本発明は、給紙台（ＡＮ）と印刷装置および／または塗工装置（ＤＷ）とを結ぶ駆動歯車列（ＡＲＺ）と、この駆動歯車列に作用する主駆動モータ（Ｍ）と、この主駆動モータに付設された駆動制御装置（Ａ）とを有する枚葉紙輪転印刷機内で回転振動に起因した見当ずれを補償するための方法に関する。
【背景技術】
【０００２】
見当ずれとは、個々の印刷装置または塗工装置内で順次塗布される部分印刷像（色分解）または塗工層を刷り重ね合わせるときの相対的位置ずれのことである。部分印刷像の間の系統的見当ずれは印刷版製造時の不正確さ、印刷版の位置誤差、印刷像を被印刷物に転写するときの展開差、または被印刷物の位置誤差によって生じることがある。これらの誤差は印刷装置または塗工装置の公知の調整手段で十分に制御可能である。
【０００３】
数多くの努力の対象は、被印刷物を案内する回転体の回転振動によって生じる見当誤差の除去である。
【０００４】
枚葉紙輪転印刷機では、少なくとも個々の印刷装置の圧胴と印刷装置間に配置される搬送胴または渡し胴とを歯車列と機械的に互いに連結し、この駆動歯車列を主駆動装置によって電気的に駆動するのが標準である。印刷機の駆動歯車列とこれに連結される回転体が振動系を形成し、振動系の動力学は対向モーメント、ばね定数、慣性モーメント等によって決定される。この駆動系統の要素の均一な回転は、角度に依存し各回転で周期的に反復する（同期）回転振動と非周期的（非同期）回転振動とによって乱されることがある。
【０００５】
枚葉紙印刷機の有する印刷装置が多ければ多いほど、振動傾向は一層大きくなる。
【０００６】
枚葉紙輪転印刷機内の周期的回転振動の発生源は、カム機構のサイクルもしくは回転角と結び付いた作業運動（給紙台伝動装置、インキ装置内での揺動運動）、歯車の心出し誤差、なかんずく胴内の特に胴通路内での転動接触における不安定、くわえ系の開閉運動による駆動歯車列内での回転モーメント変動である。
【０００７】
回転モーメント変動は、駆動歯車の弾性の結果、目標回転角位置からの個々に異なるずれを生じ、もしくは回転運動の同期性におけるずれを生じ、互いにかみ合う駆動歯車の歯面交換に至る。
【０００８】
駆動歯車列内の振動源によって局所的に励振される回転振動は駆動歯車列のかみ合う歯車を介して印刷機全体に継続して伝わり、隣接する回転体の間の回転角差の絶えず交番する変動として、従って品質上危険な渡し見当誤差／折重ね誤差として表面化する。
【０００９】
回転振動は特定振動数（固有振動数）において印刷機の長さにわたって時間的に一定した特徴的振幅‐局所分布（固有振動モード）を示し、これは少なくとも駆動歯車列の末端で、一般に第１、最終印刷装置または塗工装置で、局所的極値に達する。固有振動数と固有モードは印刷機の振動励振に依存しない特性であり、多数の印刷装置および印刷機構造様式とに依存しており、第１固有モードにおける振動は最も低い固有振動数で優勢であり、すなわち最大の振動振幅を有し、それゆえに印刷機の振動解析時に特別な注意が見られる。
【００１０】
印刷機の固有振動数近傍に振動数を有する外乱回転振動によって駆動歯車列内で振動が励振される場合、共振、すなわち振動上昇を生じ、これは個々の印刷装置または塗工装置内で塗布される部分印刷像または塗工層の間の渡し見当ずれが回転数に依存して許容外に高いことに現れる。さらに、これらの共振は駆動要素の強い負荷と摩耗促進とをもたらす。
【００１１】
主要な振動源は給紙台の枚葉紙位置決め系（前当て、プルタイプレイ）および枚葉紙加速系（スイング給紙台、ストップドラム）であり、これらはその不連続的運動の結果として給紙台の駆動モーメントに変動を引き起こす。給紙台が駆動歯車列によって一緒に駆動されるので、給紙台によって引き起こされる振動が駆動歯車列に伝達され、印刷機全体に伝搬する。給紙台での回転モーメント変動は回転数の上昇に伴って増加し、駆動歯車列全体内で印刷品質を危険にする振動振幅をもたらす。これらの振動振幅は印刷速度が高い場合個々の印刷装置または塗工装置内で塗布される部分印刷像または塗工層の間で許容外に高い渡し見当ずれを帰結する。さらに、駆動装置内での負荷変動に起因した回転振動は駆動要素の強い負荷をもたらし、摩耗促進をもたらす。
【００１２】
回転振動は受動的、能動的補助系によって減らすことができる。このため従来公知の装置は発生するあらゆる周期的、非周期的な回転振動に照準を合わせており、費用のかかる振動吸収器および制御回路がこのために必要である。
【００１３】
印刷機の回転振動を操作部材によって低減するための装置および方法が特許文献１に開示されており、操作部材は駆動モータとすることもでき、操作部材を制御するためのデータは振動吸収器で測定し、計算するかまたは印刷機の試運転で算出するかのいずれかである。操作部材用制御信号の形成は詳しく述べられていない。
【００１４】
特許文献２は印刷機内の回転振動を補償するための方法および装置に関するものであり、この方法は、印刷機の少なくとも１つの固有モードが算定され、この固有モードが振幅０でない少なくとも１つの局所について、固有モードで振動を励振するモーメントの補償用に各１つの対向モーメントがカム機構または付加的モータによって加えられる。
【００１５】
対向モーメントは平均回転数について、またはさまざまな回転数および機械パラメータについても、算定することができる。ここでも、対向モーメントがどのように形成されるのかは不明なままである。付加的振動補償器用の費用が不利である。
【００１６】
特許文献３はアクチュエータから加えられる同一振動数の高調波モーメントによって回転振動の少なくとも１つの離散振動数成分を重ね合わせることによって機械的回転振動を補償するための方法および装置を述べており、振動数は固有振動数と機械速度とに依存してオンラインで算定される。この装置は振動センサを有する費用のかかる適応制御回路と、同一振動数の高調波補償モーメントを直接的または間接的に機械軸に加えるアクチュエータとを含み、このアクチュエータは駆動モータとすることができる。単に１つの機械軸の振動を最大補償することに方法が向けられていることが不利である。
【００１７】
特許文献４により公知の装置および方法は、能動的操作要素、例えばモータを個々の胴に設け、振動を消去する調整力が生じるように制御回路を介してモータを制御する。問題とされているのは機械特有の固有モードにおける振動に対する最初から適切な対抗戦略ではなく、非同期振動、つまり回転する部品の回転に伴って非周期的にのみ現れる振動が測定され、その後、測定場所で克服せんと努められる。しかしこの仕方では補償が時間的に最適でなく、高い制御費用を必要とし、制御装置が過大な時間遅延を有するかまたはそれ自体が振動を引き起こすかのいずれかである危険がある。
【００１８】
さらに、公知の振動補償法に共通する欠点として、それらは達成可能な最低印刷品質に向けられていない。
【特許文献１】独国特許出願公開第４４１２９４５号明細書
【特許文献２】独国特許出願公開第１９９１４６２７号明細書
【特許文献３】独国特許出願公開第１０１４９５２５号明細書
【特許文献４】欧州特許第０５９２８５０号明細書
【発明の開示】
【発明が解決しようとする課題】
【００１９】
本発明の課題は、技術の現状の諸欠点から出発して、既存の手段で輪転印刷機のすべての印刷装置または塗工装置での印刷品質を減退させる見当ずれを避けることを可能とする、回転振動に起因した見当ずれを減らす方法を示すことである。
【課題を解決するための手段】
【００２０】
本発明によればこの課題は、請求項１の特徴を有する方法によって解決される。本方法の望ましい諸展開は従属請求項の対象である。
【００２１】
本発明の基本的考えは、あらゆる操業状況において回転振動の最大減少という不可避的に費用を要する解決に至る公知の目標設定とは異なり、振動低減措置を一方で実際に印刷品質を損ないかつ摩耗を促進する振動上昇が現れる共振回転数範囲にのみ限定し、しかし他方で印刷機のすべての印刷装置および／または塗工装置（印刷装置と塗工装置の少なくとも一方）（例えば枚葉紙印刷機の印刷装置または塗工装置の間の枚葉紙渡し個所）で所定の印刷品質（最大許容見当公差）が守られることを保証することである。
【００２２】
これは、本発明によれば、主駆動モータの駆動モーメントを、駆動制御装置の内部に記憶され共振振動に対抗する回転数に依存した対向モーメントと共振回転数範囲内で重ね合わせることによって達成される。さまざまな回転数において、回転数に依存した振幅を有する異なる高調波補償モーメントが振動減衰に利用される。
【００２３】
請求項１１に述べられた方法の基本的考えは、給紙台の駆動装置内の計算または測定技術的算出で十分に接近可能な周期的回転モーメント変動を、給紙台の直接的近傍で第１印刷装置または塗工装置に配置される主駆動モータの対向モーメントによって補償することにあり、第２の印刷装置または塗工装置に対する合成駆動モーメントは給紙台の回転振動を含まない。回転数に依存した補償回転モーメントは主駆動モータの駆動制御装置の内部で真理値表（回転角、正規化補償回転モーメント）としてまたは補償モーメントとしてそのフーリエ係数付きで記憶されている。
【００２４】
補償モーメントは、実際に近い印刷条件下での試運転において一度算出され、または設計データから計算され、持続的に働くアルゴリズムとして回転数に依存した成分で後の印刷操業のとき駆動モータ電流に重ね合わされる。その際、同期（周期的）振動が高調波対向モーメントで補償されるとき、外乱非同期振動も減衰されるという意外な事実が利用される。
【００２５】
本発明に係る方法は、既存の主駆動モータで実現可能であり、付加的振動補償器を必要としないという経済的利点を有する。費用のかかる制御回路の代わりに、主駆動モータ電流用のプログラマブル制御モジュールが必要であるにすぎない。さらに、提案された方法はごく僅かな補償手段ですべての印刷装置または塗工装置において印刷品質の確保を保証する。
【発明を実施するための最良の形態】
【００２６】
本発明に係る方法は枚葉紙輪転印刷機を例に詳しく説明する。  
図１に例示的に略示した直列構造様式の枚葉紙輪転印刷機は給紙台ＡＮと印刷装置ＤＷ１〜４と排紙台ＡＵとを有する。印刷装置のうち図示されているのは振動上重要な枚葉紙を案内する圧胴ＤＺ１〜４と渡しドラムＵＴ１〜３だけである。少なくともこれらの回転体は連続した駆動歯車列ＡＲＺ（図５）を介してそれらの回転運動を同期化される。印刷機用主駆動モータＭの駆動回転モーメントＭＡは第１印刷装置ＤＷ１の圧胴ＤＺ１を介して駆動歯車列ＡＲＺに供給される。主駆動モータＭは駆動制御装置Ａによって回転数および回転モーメントを制御される。
【００２７】
枚葉紙輪転印刷機内では、負荷変動と結び付いた多数の作業運動が経過する。その際、印刷装置または塗工装置内で駆動歯車列ＡＲＺを介して結合された回転体ＤＺ、ＵＴの一様な回転運動に周期的（同期）および非同期回転振動Ｓが励振される。負荷変動振幅が特定限度を上まわると、共振回転数範囲ｎＲ内において駆動歯車列ＡＲＺのうち印刷機の固有振動が特別顕著である特定区域内で振動上昇ＳＲ＞Ｓｚｕｌが生じ、従って或るつかみ系から後続のつかみ系に枚葉紙を渡すとき（渡し見当）回転角位置の許容外の変動を生じ、これによりもはや許容できない印刷精度低下を生じる。印刷品質にとって重要なこの共振振動ＳＲ＞Ｓｚｕｌが測定技術で検出され、フーリエ解析にかけられる。
【００２８】
次に振動Ｓは、異なる成分ａｉ、振動数および位相位置ｂｉを有するｉの離散高調波振動の合計として記述することができ、振動数ｆは回転数ｎの整数倍（次数）ｉである：
ｆ＝ｉ＊ｎ
Ｓ＝ａ0＋ａ1＊ｓｉｎ(ｔ＊(１＊ｎ)＋ｂ1)＋ａ2＊ｓｉｎ(ｔ＊(２＊ｎ)＋ｂ2)
＋  …  ＋ａi＊ｓｉｎ(ｔ＊(ｉ＊ｎ)＋ｂi)                ・・・・・（１）
ａｉ＝第ｉ高調波振動の振幅
ｂｉ＝第ｉ高調波振動の移相
ｔ＝時間
ｎ＝回転数
ｉ＝外乱の振動数ｆと印刷機回転数との間の整数比。
【００２９】
各印刷機は下側印刷速度ｎＵと上側印刷速度ｎＯとの間の印刷回転数範囲内に少なくとも１つの重要な固有振動数ｆｅｉｇ,ｌを有し、固有振動数の値は実質的に機械編成に依存している。励振振動もしくは高調波振動成分ｉの振動数ｆはｌ個の固有振動数ｆｅｉｇ,ｌの１つに近似的に一致する（共振回転数ｎＲ,ｌ,ｉ）場合、
ｉ＊ｎR,l,i＝ｆeig,l  ・・・・・（２）
の第ｉ高調波励振振動による共振励振が存在する。そのことから振動励振が特別高くなり、従って駆動歯車列およびそれを介して結合された胴およびドラム内で振動（共振振動ＳＲ,ｌ,ｉ）が上昇し、最も低い固有振動数ｆｅｉｇ,１での共振時に最も高い回転振動振幅Ｓｅｉｇ,ｌが生じる。共振振動ＳＲの高調波成分の振幅ａｉは一般に次数ｉの上昇に伴って低下し、同時に、摩擦を伴う運動経過による減衰は振動数の上昇に伴って増加し、高次ｉの共振は小さな共振振動振幅を帰結する。
【００３０】
印刷機の固有振動数ｆｅｉｇ,ｌが既知であると、すべての共振回転数ｎＲ,ｌ,ｉは（２）式により算出することができる。固有振動数ｆｅｉｇ,ｌと共振回転数ｎＲとの間の関係は共振グラフ（図３ａ）から明らかとなる。
【００３１】
固有振動数ｆは回転数ｎに依存しており、直線方程式ｆ＝ｉ＊ｎによって記述することができ、振動数‐回転数線図において座標原点で交わる上昇する直線を形成する。それに対して固有振動数ｆｅｉｇ,ｌは横座標と平行であり、回転数ｎにではなく具体的印刷機編成に依存した定数である。水平線と対角線との交点が共振回転数ｎＲ,ｌ,ｉである。
【００３２】
例えば第１固有振動数ｆｅｉｇ,ｌ＝６．５Ｈｚであると、第４高調波振動の共振回転数ｎＲ,ｌ,４は（６．５／４）ｓ−１＝５８５０ｍｉｎ−１である。第２高調波振動の共振回転数ｎＲ,ｌ,２はその場合１１７００ｍｉｎ−１、等々である。従って１０％〜２０％の一定の公差幅を含む共振回転数ｎＲ,ｌ,ｉの場合、共振振動上昇ＳＲ,ｌ,ｉが現れるのは印刷機がこれらの領域の１つにおいて稼動されるときであると予想することができ、これらの領域は印刷機にとって負荷上昇と摩耗増とを意味し、もはや許容できない渡し見当誤差を生じる。それゆえに、一定して高い印刷品質にとって重要なのは、危険な共振回転数範囲ｎＲを通過するとき共振振動ＳＲの発生を防止することである。
【００３３】
これは、共振振動ＳＲ,ｌ,ｉのうち個々の共振回転数範囲ｎＲ,ｌ,ｉ内でその都度最大の高調波成分を反対向きの高調波補償モーメントＭK,ｌ,ｉで適切に補償することによって達成される。
【００３４】
提案された方法は、印刷機の操業様式がさまざまな印刷ジョブに適合されるとき、印刷機内で固有振動数ｆｅｉｇ,ｌと励振振動数ｆがさして変化しないとのことから出発する。なぜならば、駆動歯車列ＡＲＺの弾性、回転する胴ＤＺおよびドラムＵＴの質量慣性または能動的周辺組立体等の振動上重要な影響量は印刷ジョブごとの振動上重要な変化を受けないからである。それゆえに、後に印刷機を利用するときの特徴的編成と操業様式とについて実際の印刷条件下で共振回転数範囲ｎＲと付属する補償モーメントＭＫとを一度算出すれば間に合う。駆動モーメントＭＡに重ね合わされる補償モーメントＭＫは後の印刷ジョブに起因したあらゆる印刷機操業変種において有効的な振動減少をもたらすことになる。
【００３５】
有利なことに印刷機内ではインキ装置および湿し装置内での摩擦によって、強く減衰された振動系が存在する。減衰は回転数ｎの上昇に伴って増加し、一般に第１固有振動数ｆｅｉｇ,ｌのみが臨界共振振動ＳＲをもたらす。同時に、高い振動振幅ａｉを有する共振振動ＳＲの重要な高調波成分はごく僅かであり、またこれにより印刷回転数範囲ｎｕ〜ｎＯ内には考慮すべき共振回転数範囲ｎＲはごく僅かであり、駆動歯車列ＡＲＺ内での共振振動ＳＲとこれを補償する反対向きの回転モーメントＭＫとを算出するための費用は比較的少なく、いずれにしても実行しなければならない試運転時に１回だけ操業しなければならないだけである。
【００３６】
まず、印刷機製造業者のもとで通常行われる印刷操業条件下での枚葉紙輪転印刷機の義務的試運転時に印刷回転数範囲ｎｕ〜ｎＯを通過するときに現れる回転振動Ｓは見当どおりの印刷にとって決定的な測定個所で検出される。枚葉紙輪転印刷機の場合それは圧胴ＤＺである。というのも、圧胴ＤＺの回転角ずれは枚葉紙の渡し時枚葉紙位置（渡し見当）の周方向摺動をもたらし、または印刷像を枚葉紙に転写する版胴およびゴム胴に対する圧胴ＤＺの捩れは枚葉紙上の印刷像の周方向見当ずれをもたらすからである。
【００３７】
このため印刷機は試運転用に主に各圧胴ＤＺ１…に各１つの回転角センサＧが備えられる（図１）。印刷機の制御にとって必要でない回転角センサＧは試運転終了後に再び取り外され、別の印刷機での他の測定用に再び使用され、測定技術上の費用は少ないままである。
【００３８】
駆動歯車列ＡＲＺ内の回転振動Ｓは圧胴ＤＺ１…の回転角位置φを時間的に同期して問い合わせ、その都度隣接する圧胴ＤＺ間で差Δφを形成し、または‐振動測定を第１固有振動数ｆｅｉｇ,１（固有モードＳｅｉｇ,１、図２参照）に制限する場合‐最大振動振幅を測定可能な印刷機の第１、最終圧胴ＤＺ１、ＤＺの回転角センサＧの間で差を形成することによって算出される。回転角差Δφは圧胴の直径を考慮して圧胴周面の回転振動Ｓの振幅を明らかにする（図３ｂ）。回転振動は、枚葉紙渡しの瞬間に、隣接する圧胴ＤＺおよび渡しドラムＵＴのつかみ系の相対位置を持続的に変える。回転角測定と同時に、印刷された枚葉紙のオフライン評価またはオンライン評価によって、個々の印刷装置内で塗布される部分印刷像の間の見当ずれの算定が行われる。見当ずれは回転振動Ｓの振幅と相関しており、振動低減措置が必要となる危険な共振回転数範囲ｎＲを確定するための決定的基準となる。枚葉紙オフセット印刷時にＳｚｕｌ≦１０μｍの許容公差範囲の外側にある渡し見当ずれは枚葉紙オフセット印刷機の印刷品質上危険な共振回転数範囲ｎＲを際立たせる。
【００３９】
印刷品質上危険な共振回転数範囲ｎＲ内の回転振動ＳＲはオンライン‐フーリエ解析にかけられ、その都度異なる振幅ａｉ、振動数ｎ＊ｉおよび位相位置ｂｉを有するｉ成分に分解される。個々の共振回転数範囲ｎＲ,ｌ,ｉを通過するとき、フーリエ解析によって算出された離散高調波振動成分の振幅ａｉは回転数に依存して変化する。共振回転数範囲ｎＲ,ｌ,ｉ内でその都度最大の振幅ａｉを有する高調波振動成分は、付属する各共振回転数範囲ｎＲ,ｌ,ｉについて反対の位相位置で、加えるべき補償モーメントＭK,ｌ,ｉのパラメータとして記憶される。その際、記憶値は振動数ｎ＊ｉ、回転数に依存した振幅ａK,ｉ（ｎＲ,ｌ,ｉ）、位相位置ｂK,ｉである。
【００４０】
振動解析は共振範囲ｎＲの外側にある印刷回転数範囲にも拡張することができ、補償モーメントＭＫの恒常的振幅‐回転数関数が印刷回転数範囲ｎｕ〜ｎＯ全体について記憶される。
【００４１】
一般に印刷回転数範囲ｎｕ〜ｎＯ内には、回転数ｎの上昇に伴って振動減衰が強まるので、印刷品質を減退させる重要な共振振動ＳＲをもたらす固有振動数ｆｅｉｇ,Kは僅かに存在するだけである。この共振振動ＳＲは一般に、その振動数ｆが印刷回転数範囲ｎｕ〜ｎＯ内部に共振をもたらす離散高調波成分も僅かに有するにすぎず、記憶しなければならないのは僅かな数の補償モーメントもしくはそのパラメータにすぎない（図３ｂ）。共振回転数範囲ｎＲ,ｌ,ｉ内の共振振動ＳＲ,ｌ,ｉが少なく、渡し見当の許容公差範囲Ｓｚｕｌを越えない場合、共振振動は考慮されないままとすることができる。図３ｂの例においてこれは共振回転数範囲ｎＲ,２,６に該当する。
【００４２】
共振振動ＳＲの補償は主に駆動歯車列ＡＲＺ内に供給される主駆動モータＭの駆動モーメントＭＡを介して行われ、回転振動Ｓの個々の発生場所自体で行われるのではないので、他の方法ステップにおいて主駆動モータＭと振動源との間の伝達関数、すなわち持ち込まれる補償モーメントＭＫの減衰度および移相が考慮されねばならない。伝達関数は印刷機の振動モデルから得ることができるが、しかしこのためには振動源の位置が正確に確認されねばならず、印刷機をモデリングするための費用はきわめて高い。それゆえに方法簡素化のために、他の試運転において補償パラメータを経験的に最適化するのが望ましいと考えられる。このため、付属する共振回転数範囲ｎＲ,ｌ,ｉ内の補償モーメントＭK,ｌ,ｉは個々に主駆動モータＭの駆動モータ電流ＩＭの相応する変調によって生成され、連続的駆動モーメントＭＡに重ね合わされ、すべての枚葉紙渡し個所で振動減衰が現れるまでまず位相位置ｂK,ｌ,ｉが変えられる。次に補償モーメントＭK,ｌ,ｉの振幅ａK,ｌ,ｉの上昇が起き、印刷装置または印刷装置間のすべての測定点で見当ずれの振幅は所定の公差限界値Ｓｚｕｌの内部にある。その際に決定的なのは１つの枚葉紙渡し個所での最大振動消去ではなく、所要の印刷品質に関する公差限界値を各枚葉紙渡し個所で守ることである。
【００４３】
こうして最適化された補償パラメータａK,ｌ,ｉ、ｂK,ｌ,ｉと付属する回転数範囲ｎＲ,ｌ,ｉは主駆動モータＭの駆動制御装置Ａ内に記憶される。このため個別の補償モジュールＫＭが設けておくことができ、これは駆動制御装置Ａに対する既存のインタフェースを介して共振回転数範囲ｎＲ,ｌ,ｉを通過時にそのために記憶されている補償パラメータを電流制御装置に引き渡し、この電流制御装置はプログラマブルアルゴリズムに従って、印刷操業用に必要な駆動モータ電流ＩＭを変調し、補償に必要な対向モーメントＭＫが駆動モーメントＭＡに印加され、共振回転数範囲ｎＲ,ｌ,ｉの通過時にそれぞれこの回転数範囲について算定された補償パラメータ（ａ，ｂ，ｉ）K,ｌ,ｉのみが作動される（図３ｃと図４）。次に共振回転数範囲ｎK,ｌ,ｉ内で対向モーメントが働く。
【００４４】
ＭK,l,i＝ａK,l,i(ｎK,l,i)＊ｓｉｎ(ｔ＊(ｉ＊ｎK,l,i)＋ｂK,l,i)  ・・・・・（３）
印刷機が固有振動数ｆｅｉｇ,１の１つにおいて共振時に振動すると、印刷機の長さにわたって時間的に一定した振動振幅曲線Ｓｅｉｇ,ｌ（固有モード）が生じ（図１と図２）、重要な第１、第２固有モードＳｅｉｇ,１、Ｓｅｉｇ,２の振動振幅は外側印刷装置（例えばＤＷ１、ＤＷ４）に局所極値を有し、主駆動モータＭを給紙台ＡＮ後の第１印刷装置ＤＷ１に、すなわち高振動振幅の現れる局所に配置すると、主駆動モータＭを介して共振振動ＳＲを効果的に補償するための好ましい前提条件が得られる。
【００４５】
本発明に係る方法は、主駆動モータＭでの駆動電流変調の代わりに、他の駆動装置による回転モーメントの重なりでも同様に実行可能であり、この駆動装置は駆動歯車列ＡＲＺに作用する任意のモータとすることができ、その駆動モーメントまたは制動モーメントが駆動歯車列ＡＲＺ内に補償モーメントＭＫを形成する。例えば版胴の単一駆動装置は印刷操業時に駆動歯車列ＡＲＺと結合されたままとすることができ、補償モーメントＭＫを主駆動モータＭにかかわりなく駆動歯車列ＡＲＺ内に供給することができる。
【００４６】
輪転印刷機の代表的操業状態について算出して記憶された補償パラメータは印刷機の振動挙動が印刷ジョブに起因して変化する場合でも十分な減衰作用を発揮するのではあるが、本方法は、頻繁に繰り返して外れる特徴的操業状態について最適化された補償パラメータを算出して記憶することによって改善することができる。輪転印刷機の複数の異なる操業状態は、例えば異なる減衰特性を有する駆動装置または伝動装置の異なる運転様式によって、個々の周辺機能群のオンオフによって、またはインキ送り胴またはローラの異なる摩擦によって実現される。特徴的操業状態のそれぞれについて試運転においてそれにとって最適な補償パラメータを算出して補償モジュールＫＭに記憶し、後の実際的印刷操業のとき操業状態に依存して駆動制御装置Ａ内で作動されると、少なくとも標準機械設定を有する印刷ジョブについては常に最適な振動補償を達成することができる。
【００４７】
本発明に係る方法は有利なことに、少なくとも２つの回転角センサＧ（例えば反転装置を備えた枚葉紙輪転印刷機について知られているように駆動歯車列ＡＲＺの初端と終端とに例えば回転角センサＧ）が永続的に印刷機に存在する場合、印刷操業中に印刷機の操業様式に依存した振動挙動の変化に補償モーメントＭＫを自動的に適合させることによって拡張することができる。
【００４８】
プログラムされるフィルタアルゴリズム（プログラマブル・フィルタアルゴリズム）を利用して回転振動Ｓの振幅ａｉおよび位相位置ｂｉを連続的に検出することによって、印刷操業中に自動的サイクルで共振振動（ＳＲ）の実際の振動パラメータを持続的に算出し、記憶された補償パラメータの補正を行い、駆動モーメント（ＭＡ）に補正済み補償モーメントＭＫを重ね合わせることができる。
【００４９】
こうして補償モーメントＭＫのパラメータは輪転印刷機の操業状態に周期的に適合し、各時点で最適な共振振動補償を引き起こすことができる。補償パラメータの更新サイクルは望ましくは、各操業状態にとって重要な設定の作動時に機械制御装置によって起動される。
【００５０】
本発明に係る方法は個別の駆動モータＭｊを有する動的に分離された部分機械にも、例えば反転装置が駆動歯車列ＡＲＺ中に分離個所を形成し、これにより駆動歯車列が各１つの駆動モータＭｊを有する２つの動的に独立した駆動歯車列ＡＲＺｊに分割される場合反転装置の前および後の印刷装置群ｊにも応用可能である。その場合、各部分機械ｊもしくは印刷装置群または塗工装置群ｊ内の共振振動ＳＲ、ｊが個別に検出され、付属する駆動制御装置Ａｊと付属する主駆動モータＭｊとによって個別に補償される。
【００５１】
図５に例示的に略示された直列構造様式の枚葉紙輪転印刷機は給紙台ＡＮと印刷装置ＤＷ１、ＤＷ２と排紙台ＡＵとを有する。印刷装置ＤＷのうち図示されているのは振動上重要な枚葉紙を案内する圧胴ＤＺと渡しドラムＵＴだけである。少なくともこれらの回転体は連続した駆動歯車列ＡＲＺを介してそれらの回転運動を同期化される。印刷機用駆動モーメントＭＡは第１印刷装置ＤＷ１の圧胴ＤＺ１の主駆動モータＭによって駆動歯車列ＡＲＺ内に供給され、そこから駆動歯車列ＡＲＺを介して第２のおよび後続のすべての印刷装置および／または塗工装置へと流れる。同時に駆動モーメントＭＡの一部は反対方向に給紙台ＡＮへと流れる。
【００５２】
主駆動モータＭは駆動制御装置Ａによって回転数および回転モーメントを制御される。主駆動モータＭ用駆動制御装置Ａは、機械制御装置に連結された公知のプログラマブル駆動制御器である。駆動制御器は補償モーメントＭＡＫを記憶するためのプログラマブルモジュールＫＭを有する。
【００５３】
給紙台内で、枚葉紙の輸送および枚葉紙の正確な整列に役立つ数多くのクロック制御下の作業運動が経過する。これらの運動は作業部材の周期的加速および制動で経過し、それゆえに給紙台ＡＮの駆動系内での負荷変動と結び付いている。給紙台ＡＮは駆動側で、隣接する第１印刷装置ＤＷ１の駆動歯車列ＡＲＺと連結されているので、これらの周期的（同期）回転モーメント変動もしくは回転モーメント振動ＭＡＮはまず第１印刷装置内の駆動歯車列ＡＲＺに伝達され、次に、かみ合っている歯車の歯面接触を介して後続の印刷装置および／または塗工装置に転送される。駆動歯車の弾性と被動回転体ＤＺ、ＵＴの質量慣性との結果、これにより回転振動は駆動歯車列ＡＲＺの全長にわたって励振されよう。印刷品質にとって危険な給紙台ＡＮのこの回転モーメント振動ＭＡＮはいまや本発明によれば、それが駆動歯車列ＡＲＺに伝達される個所‐すなわち第１印刷装置ＤＷ１‐において、やはりこの個所で駆動される主駆動モータＭによって、その駆動モーメントＭＡに外乱回転モーメント振動ＭＡＮとは反対向きの補償モーメントＭＡＫを印加することによって補償される。給紙台ＡＮの回転モーメント振動ＭＡＮは主駆動モータＭの駆動個所で消去される。従って、第２の印刷装置へと流れる合成駆動回転モーメントＭＡＮ＋ＭＡ＋ＭＡＫは振動なしである（図６）。
【００５４】
本発明に係る方法は、給紙台の内部で生成される回転モーメント振動を公知の計算法によって実に正確に算定できるという利点を利用している。これは、既知の質量と厳密にモデル化可能かつ被処理枚葉紙の特性におおむね影響されることなく経過する運動経過とを有するクローズド系である。回転モーメント変動ＭＡＮは回転モーメント振動として扱われ、連続的ＭＡＮ（φ）関数のフーリエ係数を提供するフーリエ解析にかけられる。すると振動は異なる成分ａｉ、振動数ｉ＊ｎおよび位相位置ｂｉを有するｉ個の離散高調波振動の合計として記述することができる。  
ＭAN ＝ａ0＋ａ1＊ｓｉｎ(ｔ＊(１＊ｎ)＋ｂ1)＋ａ2＊ｓｉｎ(ｔ＊(２＊ｎ)＋
ｂ2)＋  …  ＋ａi＊ｓｉｎ(ｔ＊(ｉ＊ｎ)＋ｂi)      ・・・・・（４）
φ＝ｔ＊ｉ＊ｎ
主駆動モータＭの補償モーメントＭＡＫはこの場合、反対の位相位置を有するフーリエ関数として駆動制御装置ＡのモジュールＫＭ内に記憶される。
【００５５】
周期的回転モーメント変動ＭＡＮは、フーリエ係数算定または回転モーメント測定の結果、反対の位相位置を有する離散（φ，ＭＡＫ）値対として補償モーメントＫＭ用記憶モジュールに格納することもできる。
【００５６】
補償モーメントＭＡＫは駆動モーメントＭＡと同様に所定の回転数ｎに依存しており、それゆえ、可能な各回転数について個別に記憶されねばならないであろうのから、主駆動モータＭの駆動モーメントＭＡに関係した（正規化）量ＭＡＫ／ＭＡとしてそれを記憶するのが望ましい。
【００５７】
補償モーメントの計算が予定されていない場合には、選択的に、給紙台ＡＮの駆動軸で好適な回転モーメントセンサによって回転モーメント変動ＭＡＮを測定する可能性、または印刷装置および塗工装置ＤＷを連結解除して主駆動モータＭの駆動モータ電流ＩＭの回転角依存性を検出する可能性がある。
【００５８】
給紙台ＡＮの回転モーメント変動ＭＡＮを補償するために、その都度設定された回転数（印刷速度）に付属する正規化補償モーメントＭＡＫ／ＭＡ（φ）もしくは付属するすべての（φ，ＭＡＫ／ＭＡ）値対が回転数に依存してモジュールＫＭ内で呼び出され、駆動制御装置Ａ内で実行されるＭ‐Ｉ伝達関数を利用して主駆動モータＭの駆動モータ電流ＩＭがそれに応じて変調される。
【００５９】
本発明に係る方法は、主駆動モータＭでの駆動電流変調の代わりに、第２の駆動装置で回転モーメントを重ね合わせることでも同様に実行可能であり、この第２の駆動装置はほぼ遅延なしに第１印刷装置ＤＷ１の駆動歯車列ＡＲＺに作用する本質的に小型のモータとすることができ、その駆動モーメントまたは制動モーメントが駆動歯車列ＡＲＺ内に補償モーメントＭＡＫを印加する。本発明に係る方法によって簡単な手段で提供できる印刷機駆動装置は振動なしに駆動歯車列を駆動し、編成全体から影響を受けない。付加的機械的伝動装置なしに、給紙台後の第１印刷装置の主駆動モータの駆動個所で出力補償が達成される。これにより、給紙台からの外乱が表面化することもなく高い印刷速度が可能になる。振動に起因した摩耗が減少し、印刷結果が向上する。
【図面の簡単な説明】
【００６０】
【図１】回転振動測定装置と振動補償部とを有する枚葉紙輪転印刷機の略図。
【図２】共振振動の固有モードを示す図。
【図３ａ】２つの固有振動数を有する振動系の共振グラフの１例。
【図３ｂ】回転振動と回転数との関係を示す図。
【図３ｃ】共振回転数範囲内の補償モーメントを示す図。
【図４ａ】主駆動モータの駆動モーメントを示す図。
【図４ｂ】駆動モータ電流中の補償モーメントを示す図。
【図５】給紙台を有する枚葉紙輪転印刷機の略図。
【図６】給紙台での振動補償の原理を示す図。
【符号の説明】
【００６１】
Ａ、Ａｊ  駆動制御装置
ＡＮ  給紙台
ＡＲＺ、ＡＲＺｊ  駆動歯車列
ＡＵ  排紙台
ＤＷ、ＤＷ１〜４  印刷装置または塗工装置
ＤＺ、ＤＺ１〜４  圧胴
Ｇ  回転角センサ
Ｍ、Ｍｊ  主駆動モータ
ＩＭ  駆動モータ電流
ＫＭ  補償パラメータ用モジュール
ＭＡ  駆動モーメント
ＭＫ  補償モーメント
ＭＡＮ  給紙台の回転モーメント振動
Ｓ  回転振動、励振振動
Ｓｅｉｇ  固有モード
ＳＲ  共振振動
Ｓｚｕｌ  回転振動用許容公差範囲
ＵＴ、ＵＴ１〜４  渡しドラム
ａ  回転振動の振幅
ａｉ  第ｉ高調波振動の振幅
ａＫ  補償振動の振幅
ｂ  回転振動の位相位置
ｂｉ  第ｉ高調波振動の位相位置
ｂＫ  補償振動の位相位置
ｆ  回転振動の振動数、励振振動数
ｆｅｉｇ  固有振動数
ｉ  離散高調波振動成分の次数（固有次数）
ｊ  動的に自立した印刷装置群または塗工装置群
ｌ  固有振動数の次数
ｎ  回転数
ｎＯ  上側印刷回転数
ｎＲ  共振回転数
ｎｕ  下側印刷回転数
ｔ  時間
Δφ  圧胴間の回転角差
φ  回転角
【図１】
2006175876.tif 000003
【図２】
2006175876.tif 000004
【図３ａ】
2006175876.tif 000005
【図３ｂ】
2006175876.tif 000006
【図３ｃ】
2006175876.tif 000007
【図４ａ】
2006175876.tif 000008
【図４ｂ】
2006175876.tif 000009
【図５】
2006175876.tif 000010
【図６】
2006175876.tif 000011